(57)【要約】【課題】表示装置を電気的に絶縁状態でフレームに固定するとともに、外装部材の分解時に組立体からの表示装置の脱落を防止可能な電子機器を提供すること。【解決手段】表示ユニットと、表示ユニットの表示部を保護する保護部材と、表示ユニットと保護部材との間に配置され、表示ユニットおよび保護部材の外周から突出するように形成された絶縁体であるスペーサと、を備えた表示装置と、電気的にグランド接続され、表示装置を保持するとともに、スペーサの保護部材側の領域を支持する支持部を備えた保持部材と、を有することを特徴とする。【選択図】図６
2016109701.tif 000002
【特許請求の範囲】
【請求項１】
表示ユニットと、前記表示ユニットの表示部を保護する保護部材と、前記表示ユニットと前記保護部材との間に配置され、前記表示ユニットおよび前記保護部材の外周から突出するように形成された絶縁体であるスペーサと、を備えた表示装置と、
電気的にグランド接続され、前記表示装置を保持するとともに、前記スペーサの保護部材側の領域を支持する支持部を備えた保持部材と、を有することを特徴とする電子機器。
【請求項２】
前記スペーサは、前記表示ユニットと接着する第１の接着部と、前記保護部材と接着する第２の接着部と、前記第１および第２の接着部の間に配置され、前記１および第２の接着部の外周から突出するように形成された絶縁部と、を備え、
前記支持部は、前記絶縁部の保護部材側の領域のうち、前記絶縁部の表示ユニット側において前記第１の接着部が接着されていない領域を支持することを特徴とする請求項１に記載の電子機器。
【請求項３】
前記支持部は、前記表示装置の少なくとも２辺以上と重なることを特徴とする請求項１または２に記載の電子機器。
【請求項４】
前記支持部の厚みは、前記保持部材の他の部材の厚みに比べて薄いことを特徴とする請求項１から３のいずれか１項に記載の電子機器。
【請求項５】
前記支持部を覆い、取り付けられることで前記表示装置の位置決め可能な外装部材を更に有することを特徴とする請求項１から４のいずれか１項に記載の電子機器。
【発明の詳細な説明】
【技術分野】
【０００１】
本発明は、電子機器に関し、特に、電子機器における表示装置の取り付け構造に関する。
【背景技術】
【０００２】
従来、ＬＣＤ等の表示装置を備える電子機器には、樹脂または金属製の外装部材の組み付け前に表示装置を組立体に固定することで、外装部材の組み付け時や分解時に組立体からの表示ユニットの脱落を防止している。
【０００３】
例えば、特許文献１に示すような、組立体である導電性を有するフレームを、液晶固定面から立ち曲げ、さらに液晶固定面と平行となるように曲げ、表示装置の厚み方向を囲い込む形状を具備した電子機器が開示されている。
【先行技術文献】
【特許文献】
【０００４】
【特許文献１】特許第５４５１１４９号
【発明の概要】
【発明が解決しようとする課題】
【０００５】
しかしながら、特許文献１の表示装置の厚み方向を囲い込む構成では、斜め方向からの組み付けや表示装置の厚みのバラツキに対応するために、表示装置とフレームとの間には隙間が必要となる。しかしながら、電子機器の薄型化等で隙間を減少させると、外装カバー組み付け後の電子機器のメイングランドに接続されるフレームと表示装置が接触しているかどうかが不確定となる。そのため、静電気による電荷の経路が一定とならず、電子機器の動作が不安定となってしまう。
【０００６】
このような課題を鑑みて、表示装置を電気的に絶縁状態でフレームに固定するとともに、外装部材の分解時に組立体からの表示装置の脱落を防止可能な電子機器を提供することを目的とする。
【課題を解決するための手段】
【０００７】
本願発明の一側面としての電子機器は、表示ユニットと、前記表示ユニットの表示部を保護する保護部材と、前記表示ユニットと前記保護部材との間に配置され、前記表示ユニットおよび前記保護部材の外周から突出するように形成された絶縁体であるスペーサと、を備えた表示装置と、電気的にグランド接続され、前記表示装置を保持するとともに、前記スペーサの保護部材側の領域を支持する支持部を備えた保持部材と、を有することを特徴とする。
【発明の効果】
【０００８】
本発明によれば、表示装置を電気的に絶縁状態でフレームに固定可能であるとともに、外装部材の分解時に組立体からの表示装置の脱落を防止可能な電子機器を提供することができる。
【図面の簡単な説明】
【０００９】
【図１】本発明の実施形態に係る電子機器の一例であるデジタルカメラの外観斜視図である。
【図２】デジタルカメラの表示装置の周囲を分解した分解斜視図である。
【図３】表示装置のメインホルダへの取り付け方法の説明図である。
【図４】サブホルダのメインホルダへの取り付け方法の説明図である。
【図５】リアカバーの取り付け前のデジタルカメラの部分構成図である。
【図６】リアカバーを取り付け後の図５（ａ）のＢ−Ｂ線の部分断面図である。
【発明を実施するための形態】
【００１０】
以下、本発明の実施例について、図面を参照しながら詳細に説明する。各図において、同一の部材については同一の参照番号を付し、重複する説明は省略する。
【００１１】
図１は、本発明の実施形態に係る電子機器の一例であるデジタルカメラ１の外観斜視図である。図２は、デジタルカメラ１の表示装置２の周囲を分解した分解斜視図である。表示装置２は、ＬＣＤユニット２１、保護窓（保護部材）２２、およびスペーサ２３から構成されている。ＬＣＤユニット２１は、バックライトユニット（不図示）から光を照射されるＬＣＤパネル２１ａ、フレキシブル配線基板２１ｂ、およびベゼル２１ｃを備えている。保護窓２２は、無色透明のメタクリル樹脂で形成され、保護窓２２の貼り付け面側には、スペーサ２３やベゼル２１ｃが外部から見えないように、黒色のマスク印刷が施されている。スペーサ２３は、表示側両面テープ（第１の接着部）２３１、絶縁シート（絶縁部）２３２、および保護窓側両面テープ（第２の接着部）２３３の３層から形成されている。絶縁シート２３２のＬＣＤパネル側には表示側両面テープ２３１、保護窓側には保護窓側両面テープ２３３が貼り付けられている。これらの粘着性により、ＬＣＤユニット２１のベゼル２１ｃと保護窓２２は、スペーサ２３によって接着固定されている。
【００１２】
表示装置２は、組立体としてのカメラアセンブリ１ａのメインホルダ３に取り付けられる。そして、サブホルダ４をメインホルダ３に取り付けることで、表示装置２はカメラアセンブリ１ａに固定される。表示装置２のベゼル２１ｃ、メインホルダ３、およびサブホルダ４は、全て導電性を有した金属で形成され、デジタルカメラ１のメイングランドにグランド接続されている。なお、ＬＣＤユニット２１は、フレキシブル配線基板２１ｂにより、メイン基板（不図示）に電気的に接続されている。その後、カメラアセンブリ１ａにトップカバー５およびフロントカバー６を取り付け、最後にリアカバー７を取り付けることにより、デジタルカメラ１は完成する。
【００１３】
図３は、表示装置２のメインホルダ３への取り付け方法の説明図である。図３（ｂ），（ｃ）はそれぞれ、図３（ａ）のｂ部，ｃ部の拡大図である。図３（ｂ），（ｃ）において、本実施形態の説明に不要な部品は省略している。図３（ｂ），（ｃ）に示すように、メインホルダ３には、係止部３ａ，３ｂが設けられている。図３（ａ）に示すように、表示装置２は、メインホルダ３に対して、矢印Ａのように斜め上方向からの角度をつけて取り付けられる。これは、係止部（支持部）３ａ，３ｂによって、表示装置２の絶縁シート２３２を抑え込むためである。
【００１４】
図４は、サブホルダ４のメインホルダ３への取り付け方法の説明図である。図４（ｂ）は、図４（ａ）のｄ部を裏側から見た斜視図である。図４（ａ），（ｂ）において、本実施形態の説明に不要な部品は省略している。サブホルダ４に形成された半抜き形状の位置決めダボ４ａは、メインホルダ３の丸穴部３ｃに嵌め込まれる。さらに、サブホルダ４のガイド部４ｅをメインホルダ３の溝部３ｄに落とし込むことで、サブホルダ４の移動を制限している。これにより、位置決めダボ４ａと丸穴部３ｃとの嵌合を外れにくくし、サブホルダ４の脱落を防止する。図４（ａ）の左側に突出させた位置決めダボ４ｂは、メインホルダ３の丸穴部（不図示）に嵌め込まれる。図４（ｂ）に示すように、メインホルダ３の穴部３ｅにサブホルダ４のガイド部４ｆを挿し込むことで、サブホルダ４の移動を制限している。これにより、位置決めダボ４ｂと丸穴部との嵌合を外れにくくし、サブホルダ４の脱落を防止する。サブホルダ４がメインホルダ３に取り付けられた後、２つの係止部４ｃ，４ｄは、表示装置２の絶縁シート２３２を抑え込む。
【００１５】
図５は、リアカバー７の取り付け前のデジタルカメラ１の部分構成図である。図５（ｂ）は図５（ａ）の左部分の斜視図、図５（ｃ）は図５（ａ）の右部分の斜視図である。図５（ａ）に示すように、メインホルダ３の係止部３ａ，３ｂおよびサブホルダ４の係止部４ｃ，４ｄが表示装置２の絶縁シート２３２の角部を抑え込むことにより、表示装置２はカメラアセンブリ１ａから脱落しない状態で固定可能となる。表示装置２を脱落させないようにするには、表示装置２の少なくとも２辺以上を抑え、その抑える場所の間隔は、可能な限り広げたほうがよい。図５（ｂ）に示すように、メインホルダ３の立ち曲げ部３ｆ，３ｇは、絶縁シート２３２の端部と隙間を詰めており、表示装置２の面内方向への移動を規制している。メインホルダ３の係止部３ａ，３ｂの厚みはともに、周囲に比べておよそ半分になっている。図５（ｃ）に示すように、係止部４ｃ，４ｄをフレキシブル配線基板２１ｂから離れた位置に配置することで、配線基板の断線の発生を避けている。係止部４ｃ，４ｄの曲げ根元となる立ち壁部４ｇは、絶縁シート２３２の端部と隙間を詰めており、表示装置２の面内方向への移動を規制している。また、係止部４ｃ，４ｄの厚みは、周囲に比べておよそ半分になっている。
【００１６】
図６は、リアカバー７を取り付け後の図５（ａ）のＢ−Ｂ線の部分断面図である。デジタルカメラ１は、リアカバー７がカメラアセンブリ１ａに取り付けられた後、表示装置２の保護窓２２とリアカバー７の開口部７ａによって表示装置２の面内方向における位置が決まる。保護窓２２と開口部７ａの隙間Ｘ１に比べて、ＬＣＤユニット２１とサブホルダ４の隙間Ｘ２を大きくしている。これにより、ＬＣＤユニット２１と保護窓２２の組み付けのバラツキや、ＬＣＤユニット２１の外形のバラツキを隙間Ｘ２で吸収可能なフローティング構造となり、相対的な位置の自由度を持たせている。絶縁シート２３２は、絶縁体である黒色のＰＥＴシートから形成され、保護窓２２と開口部７ａの隙間Ｘ１から内部構造を見せないようにするとともに、ＬＣＤパネル２１ａの表示部以外から漏れるバックライト光を遮光するマスクの機能を有している。また、絶縁シート２３２は、ＬＣＤユニット２１や保護窓２２の外周から突出している。
【００１７】
サブホルダ４の係止部４ｃは、表示装置２の絶縁シート２３２を抑え込むことで、金属で形成された導電体のベゼル２１ｃと、電気的に接触しない。すなわち、デジタルカメラ１のメイングランドと同電位である係止部４ｃと、ＬＣＤユニット２１のベゼル２１ｃの間には、絶縁シート２３２が配置されているため、これらの部材の電気的な絶縁状態が保たれる。したがって、保護窓２２と開口部７ａの隙間Ｘ１から静電気が印加されても、メイングランドと同電位のサブホルダ４が避雷針となるため、ＬＣＤユニット２１は静電気の影響を受けにくく、デジタルカメラ１の動作は安定する。サブホルダ４は、保持部材としても機能し、リアカバー７から表示装置２側への外力、特にＬＣＤユニット２１への外力を伝えないようにすることで、ＬＣＤパネル２１ａの破損を防ぐ。リアカバー７にかかる外力が大きく、係止部４ｃが塑性変形した場合においても、絶縁シート２３２が介在するため、係止部４ｃとベゼル２１ｃは電気的接触を回避でき、安定した絶縁状態が保たれる。
【００１８】
また、表示側両面テープ２３１の外形は、係止部４ｃまでは投影上重ならないようにしている。すなわち、係止部４は、絶縁シート２３２のうち、裏面に表示側両面テープが接着されていない領域を支持する。これにより、絶縁シート２３２とＬＣＤユニット２１との間に、表示側両面テープ２３１の厚み分の空間が形成される。この構造であれば、ＬＣＤユニット２１が厚みの公差範囲内で最大厚みとなった場合においても、前述した空間で絶縁シート２３２を撓ませることで、サブホルダ４はメインホルダ３に所定の位置で取り付け可能となる。すなわち、前述した空間でＬＣＤユニットの厚みのバラツキを吸収している。具体的には、表示側両面テープ２３１の厚みが０．１ｍｍで、ＬＣＤパネル２１の厚みのバラツキが±０．１ｍｍである。
【００１９】
前述したように、サブホルダ４の係止部４ｃは、立ち壁部４ｃに対し、厚みがおよそ半分となっている。係止部４ｃの厚みを薄くすることで、リアカバー７側への突出量が減少し、デジタルカメラ１の厚みはさらに薄くなる。
【００２０】
なお、サブホルダ４の係止部４ｃの機能や構造について説明したが、メインホルダ３の係止部３ａ，３ｂや、サブホルダ４の係止部４ｄに関しても、同様である。
【００２１】
以上説明したように、本実施形態では、表示装置を電気的に絶縁状態でフレームに固定するとともに、外装部材の分解時に組立体からの表示装置の脱落を防止可能な電子機器を提供することができる。
【００２２】
以上、本発明の好ましい実施形態について説明したが、本発明はこれらの実施形態に限定されず、その要旨の範囲内で種々の変形及び変更が可能である。例えば、本実施例ではＬＣＤユニットを表示手段として有するデジタルカメラについて説明したが、本発明はデジタルカメラ以外の各種電子機器であっても表示ユニットを有するものに適用することができる。また、表示ユニットとしても、液晶ユニットだけでなく、自発光表示パネルを使用することができる。
【符号の説明】
【００２３】
１      デジタルカメラ（電子機器）
２      表示装置
２１    ＬＣＤユニット（表示部ユニット）
２１ａ  ＬＣＤパネル（表示部）
２２    保護窓（保護部材）
２３    スペーサ
３      メインホルダ（保持部材）
３ａ    係止部（支持部）
３ｂ    係止部（支持部）
４      サブホルダ（保持部材）
４ｃ    係止部（支持部）
４ｄ    係止部（支持部）
【図１】
2016109701.tif 000003
【図２】
2016109701.tif 000004
【図３】
2016109701.tif 000005
【図４】
2016109701.tif 000006
【図５】
2016109701.tif 000007
【図６】
2016109701.tif 000008